(57)【要約】      （修正有）【課題】プライバシーを保護しながら特定個人に個別の有益情報の配信を可能とする。【解決手段】エレベータ個人認証制御システムは、認証用カード１０と、認証用端末５と、認証制御装置２０とを備え、認証用カード１０は、識別保持部１１、アンテナ１２、情報記憶部１３、情報表示部１４を備え、認証用端末５はアンテナ６、情報送受信部７を備え、認証制御装置２０は、個人認証情報格納データベース２１、個人識別情報と個人認証情報とを比較する認証判定部２２、認証用カードを所持する前記特定個人の必要情報を格納する必要情報データベース２３、エレベータの利用者が認証用カードを所持する特定個人と同定されたときに必要情報の中から特定個人への提供に適した必要情報をカードの情報表示部に表示させるための信号を生成する情報提供部２４、を備える。【選択図】図１
2007015800.tif 000002
【特許請求の範囲】
【請求項１】
特定個人を識別するための個人識別情報を有する認証用カードと、エレベータ設備近傍に配置されて前記認証用カードから前記個人識別情報を読取る認証用端末と、前記個人識別情報に対応する個人認証情報を格納すると共に前記認証用端末により読み出された前記個人識別情報と格納された前記個人認証情報とを比較して前記特定個人を認証する認証制御装置とを備えるエレベータ個人認証制御システムであって、
前記認証用カードは、前記個人識別情報を保持する識別保持部と、前記識別保持部に保持された前記個人識別情報を前記認証用端末との間の無線により前記認証制御装置に送信すると共に該認証用カード駆動用の電力と画像情報および文字情報を含む表示用情報とを前記認証用端末から無線により入力するアンテナと、前記アンテナを介して受信された前記表示用情報を記憶する情報記憶部と、該認証用カードの表面に設けられて前記情報記憶部に記憶された前記表示用情報を表示可能な情報表示部と、を備え、
前記認証用端末は、前記認証用カードの前記アンテナとの間で認証用の前記個人識別情報の受信と前記表示用情報の送信と前記認証用カード駆動用の電力の供給とを行なうアンテナと、前記個人識別情報の受信および前記表示用情報の送信を行なう情報送受信部と、を備え、
前記認証制御装置は、前記個人認証情報を格納する認証データベースと、前記認証用端末を介して前記認証用カードから送信された前記個人識別情報と前記認証データベースに格納された前記個人認証情報とを比較する認証判定部と、前記認証用カードを所持する前記特定個人に関連の生活上および職務上の必要情報を格納する必要情報データベースと、前記認証判定部により前記エレベータの利用者が認証用カードを所持する前記特定個人であるものと同定されたときに前記必要情報データベースに格納された前記必要情報の中から当該特定個人への提供に適している必要情報を選択して前記認証用カードの前記情報表示部に表示させるための信号を生成する情報提供部と、を備えることを特徴とするエレベータ個人認証制御システム。
【請求項２】
前記認証用カードは、前記識別保持部に保持された前記個人識別情報を前記認証用端末に送信すると共に前記認証用端末および前記アンテナを介して前記認証制御蔵置の前記情報提供部より送信されてきた前記必要情報を受信する情報送受信部と、前記アンテナを介して前記認証用端末より供給された該認証用カードを駆動するための電力を蓄積する蓄電部と、をさらに備え、
前記認証制御装置は、前記認証用端末を介して前記認証用カードの前記識別保持部より送信されてきた前記個人識別情報を受信すると共に前記情報提供部により選択されて前記認証用カードに送信される前記必要情報を送信する情報送受信部をさらに有することを特徴とする請求項１に記載のエレベータ個人認証制御システム。
【請求項３】
前記認証用カードの前記蓄電部は、前記アンテナを介して前記認証用端末より供給された電力を充電する充電部と、充電した電力を保持するバッテリと、前記情報表示部が前記必要情報としての広告情報を表示する際の表示時間を制限する表示タイマとをさらに備えることを特徴とする請求項２に記載のエレベータ個人認証制御システム。
【請求項４】
前記認証用カードに保持された前記個人識別情報と前記認証データベースに格納された前記個人認証情報とが一致したときに、前記認証制御装置の前記情報提供部は前記個人認証情報の内容に基づいてその認証用カードを所持する前記特定個人が興味を持つ確率の高い前記必要情報を選択して前記認証用カードへと送信すると共に、前記認証用カードは前記認証制御装置により前記特定個人であるとの認証が得られたときにその特定個人に対する前記必要情報の提供を受けることを特徴とする請求項１に記載のエレベータ個人認証制御システム。
【請求項５】
前記認証用端末と前記認証用カードとの間の前記個人識別情報および前記必要情報の送受は無線通信方式により行なわれ、前記認証制御装置の前記情報提供部は、前記認証用カードから前記個人識別情報を取得後、前記認証用カードが再度検知される時までに前記個人識別情報に基づいて前記必要情報としての広告情報の配信の選別を行なうことを特徴とする請求項１に記載のエレベータ個人認証制御システム。
【発明の詳細な説明】
【技術分野】
【０００１】
本発明は、エレベータ個人認証制御システムに関する。
【背景技術】
【０００２】
近年、情報化社会への利便性の要請に対応するために、日常生活のあらゆる場面で情報提供システムが用いられ、社会生活上の種々の局面で受け入れられている。大規模な仕組みとしては大都市の繁華街等に据え付けられた大型の表示装置等があり、身近なものとしては電車の乗降口の上部に設けられた液晶表示器や、公衆が往来する建物のエントランスやエレベータのかご内などに設置された液晶表示器等がある。
【０００３】
従来のエレベータのかご内表示装置については、特許文献１に「エレベータ用情報表示装置」としてその一例が開示されている。このエレベータ用情報表示装置は、エレベータの乗りかご内を撮像するビデオカメラと、このビデオカメラの撮像信号を表示する画像表示装置と、文字放送を受信してデコードする文字放送受信機と、表示用画像信号を予め蓄積する画像メモリと、表示パターン信号を蓄積する表示メモリとを備えており、乗りかご内の画像と文字放送とを切り換えて表示する技術が開示されている。このエレベータ用情報表示装置は、画像表示装置がエレベータのかご内または乗り場に設けられており、１つのモニタに表示された同じ情報を不特定多数の利用者が共有しながら同一の情報を得るものである。
【０００４】
また、エレベータやエスカレータの運行情報をもとにして、携帯電話を含む情報端末へ広告を配信したり、リアルタイム映像を配信したりする発明が特許文献２に開示されており、エレベータやエスカレータの混雑の度合いを検出してビル内の施設の混雑の状況を個人の情報端末へ提供する技術について説明されている。また、携帯情報端末へのダウンロードの状況を測定して広告の配信先を決定したり料金計算を実施したりすることについても開示されている。この特許文献２においては、ビル内に滞在している複数の個人がそれぞれ所持する携帯端末に対してそのビル内の施設の混雑状況等といった共通の情報を同報通信的に配信している。
【０００５】
ところで、近年、特許文献３に開示されているような無線式の携帯可能電子装置、いわゆる無線カードが普及しつつあり、この無線カードを通信情報端末として用いて情報を受け取ることも可能になってきている。この携帯可能電子装置は、カードリーダライタから無線で送信される起動信号を受信することにより起動されて無線によるデータの送受信を行なう無線通信手段と、動作電源として充電可能な蓄電池とを有しており、蓄電池の電圧を検知して所定値以下のときに充電が必要である旨を表示する表示部を備えている。この無線式の携帯可能電子装置は、蓄電池の充電の必要性を表示するためだけの表示部を有しており、また、この無線カードは、具体的な産業上の利用分野として、例えば、交通機関の駅に設置される自動改札装置との間で無線によるデータの送受信を行なう無線式の定期券や、セキュリティを必要とする部屋に対する入退室管理を行なう入退室管理装置との間で無線によるデータの送受信を行なう無線式の個人認証用カードに用いられている。
【特許文献１】特開平１１−３４３０７９号公報
【特許文献２】特開２００２−９２４８７号公報
【特許文献３】特開平７−１５４２８８号公報
【発明の開示】
【発明が解決しようとする課題】
【０００６】
しかしながら、特許文献１によれば、提供される映像情報または文字情報を宣伝のために用いることから、エレベータの運行時間が短い場合には、充分な宣伝効果を上げることが難しいという問題がある。また、１つのモニタに映像や宣伝用文字情報等を切り換え表示することになるため、かご内や乗り場に不特定多数の利用者がいるときに、モニタに個人情報を表示してしまうと、プライバシーの侵害等の問題があり、表示できない場合があった。
【０００７】
特許文献２によれば、携帯電話を含む情報端末へは各個人のニーズに拘わらず、全て同一の情報しか配信することができないという問題がある。
【０００８】
特許文献３によれば、認証装置としてのＣＰＵ を内蔵している無線カードであるためＣＰＵを駆動するために大きな電力を消費するという問題があり、また、表示部も蓄電池を充電する必要性がある場合にその旨を表示するためだけのものであった。
【０００９】
本発明は上記課題に鑑みてなされたものであり、不特定多数の利用者に対して特定個人に有益な情報の配信を可能としつつ、個人のプライバシーを保護することのできるエレベータ個人認証制御システムの提供を目的とする。
【課題を解決するための手段】
【００１０】
上記課題を解決するための、本発明の基本構成に係るエレベータ個人認証制御システムは、特定個人を識別するための個人識別情報を有する認証用カードと、エレベータ設備の近傍に配置されて前記認証用カードから前記個人識別情報を読取る認証用端末と、前記個人識別情報に対応する個人認証情報を格納すると共に前記認証用端末により読み出された前記個人識別情報と格納された前記個人認証情報とを比較して前記特定個人を認証する認証制御装置とを備えるエレベータ個人認証制御システムであって、前記認証用カードは、前記個人識別情報を保持する識別保持部と、前記識別保持部に保持された前記個人識別情報を前記認証用端末との間の無線により前記認証制御装置に送信すると共に該認証用カード駆動用の電力と画像情報および文字情報を含む表示用情報とを前記認証用端末から無線により入力するアンテナと、前記アンテナを介して受信された前記表示用情報を記憶する情報記憶部と、該認証用カードの表面に設けられて前記情報記憶部に記憶された前記表示用情報を表示可能な情報表示部とを備え、前記認証用端末は、前記認証用カードの前記アンテナとの間で認証用の前記個人識別情報の受信と前記表示用情報の送信と前記認証用カード駆動用の電力の供給とを行なうアンテナと、前記個人識別情報の受信および前記表示用情報の送信を行なう情報送受信部とを備え、前記認証制御装置は、前記個人認証情報を格納する認証データベースと、前記認証用端末を介して前記認証用カードから送信された前記個人識別情報と前記認証データベースに格納した前記個人認証情報とを比較する認証判定部と、前記認証用カードを所持する前記特定個人に関連する生活上および職務上の必要情報を格納する必要情報データベースと、前記認証判定部により前記エレベータの利用者が認証用カードを所持する前記特定個人であるものと同定されたときに前記必要情報データベースに格納された前記必要情報の中から当該特定個人への提供に適している必要情報を選択して前記認証用カードの前記情報表示部に表示させるための信号を生成する情報提供部と、を備えることを特徴とする。
【００１１】
上記基本構成のエレベータ個人認証制御システムにおいて、前記認証用カードは、前記識別保持部に保持された前記個人識別情報を前記認証用端末に送信すると共に前記認証用端末および前記アンテナを介して前記認証制御蔵置の前記情報提供部より送信されてきた前記必要情報を受信する情報送受信部と、前記アンテナを介して前記認証用端末より供給された該認証用カードを駆動するための電力を蓄積する蓄電部と、をさらに備え、前記認証制御装置は、前記認証用端末を介して前記認証用カードの前記識別保持部より送信されてきた前記個人識別情報を受信すると共に前記情報提供部により選択されて前記認証用カードに送信される前記必要情報を送信する情報送受信部をさらに有することを特徴としても良い。
【００１２】
なお、上記段落の構成によるエレベータ個人認証制御システムにおいて、前記認証用カードの前記蓄電部は、前記アンテナを介して前記認証用端末より供給された電力を充電する充電部と、充電した電力を保持するバッテリと、前記情報表示部が前記必要情報としての広告情報を表示する際の表示時間を制限する表示タイマとをさらに備えることを特徴としても良い。
【００１３】
また、上記基本構成のエレベータ個人認証制御システムにおいて、前記認証用カードに保持された前記個人識別情報と前記認証データベースに格納された前記個人認証情報とが一致したときに、前記認証制御装置の前記情報提供部は前記個人認証情報の内容に基づいてその認証用カードを所持する前記特定個人が興味を持つ確率の高い前記必要情報を選択して前記認証用カードへと送信すると共に、前記認証用カードは前記認証制御装置により前記特定個人であるとの認証が得られたときにその特定個人に対する前記必要情報の提供を受けることを特徴としても良い。
【００１４】
上記基本構成のエレベータ個人認証制御システムにおいて、前記認証用端末と前記認証用カードとの間の前記個人識別情報および前記必要情報の送受は無線通信方式により行なわれ、前記認証制御装置の前記情報提供部は、前記認証用カードから前記個人識別情報を取得後、前記認証用カードが再度検知される時までに前記個人識別情報に基づいて前記必要情報としての広告情報の配信の選別を行なうことを特徴としても良い。
【発明の効果】
【００１５】
本発明によれば、不特定多数の利用者に対して特定個人に有益な情報の配信を可能としつつ、個人のプライバシーを保護することのできるエレベータ個人認証制御システムを提供することができる。
【発明を実施するための最良の形態】
【００１６】
以下、添付図面を参照しながら本発明に係るエレベータの個人認証制御システムの実施形態について詳細に説明する。
【００１７】
［第１実施形態］
図１を参照しながら、本発明の基本構成としての第１実施形態に係るエレベータ個人認証制御システムについて詳細に説明する、図１において、エレベータ個人認証システム１は、エレベータ２を利用する特定個人を識別するための個人識別情報を有する認証用カード１０と、エレベータ２の設備近傍に配置されて認証用カード１０から個人識別情報を読取る認証用端末５と、個人識別情報に対応する個人認証情報を格納すると共に認証用端末５により読み出された個人識別情報と格納された前記個人認証情報とを比較して特定個人を認証する認証制御装置２０とを備える。エレベータ２は、開閉ドア３とこの開閉ドア３の側部に沿って設けられた制御盤４を備える乗り場と、図示されない制御盤および認証用端末が設けられたかごとを備えている。
【００１８】
エレベータ個人認証制御システム１における認証用カード１０は、個人識別情報を保持する識別保持部１１と、この識別保持部１１に保持された個人識別情報を認証用端末７との間の無線により認証制御装置２０に送信すると共に該認証用カード１０を駆動する電力と画像情報および文字情報を含む表示用情報を認証用端末５から無線により入力するアンテナ１２と、このアンテナ１２を介して受信された表示用情報を記憶する情報記憶部１３と、該認証用カード１０の表面に設けられて情報記憶部１３に記憶された表示用情報を表示可能な情報表示部１４と、を備えている。
【００１９】
認証用端末５は、認証用カード１０のアンテナ１１との間で認証用の個人識別情報の受信と表示用情報の送信と認証用カード１０を駆動するための電力の供給とを行なうアンテナ６と、個人識別情報の受信および表示用情報の送信を行なう情報送受信部７とを備えている。なお、制御盤４の上部側には、エレベータ２のかごの位置を表示する表示ランプ９が設けられている。
【００２０】
認証制御装置２０は、個人認証情報を格納する認証データベース２１と、認証用端末５を介して認証用カード１０から送信された個人識別情報と認証データベース２１に格納された個人認証情報とを比較する認証判定部２２と、認証用カード１０を所持する特定個人に関連する生活上および職務上必要とする必要情報を格納する必要情報データベース２３と、認証判定部２２によりエレベータ２の利用者が認証用カード１０を所持する特定個人であるものと同定されたときに必要情報データベース２３に格納された必要情報の中から当該特定個人への提供に適している必要情報を選択して認証用カード１０の情報表示部１４に表示させるための信号を生成する情報提供部２４と、を備えている。
【００２１】
上記基本構成を有する第１実施形態のエレベータ個人認証制御システム１において、認証用カード１０は、識別保持部１１に保持された個人識別情報を前記認証用端末に送信すると共に認証用端末５およびアンテナ１２を介して認証制御装置２０の情報提供部２４より送信されてきた必要情報を受信する情報送受信部１５と、アンテナ１２を介して認証用端末５より供給された認証用カード１０を駆動するための電力を蓄積する蓄電部１６とをさらに備えていても良い。認証制御装置２０は、認証用端末を介して認証用カード１０の識別保持部１１より送信されてきた個人識別情報を受信すると共に情報提供部２４により選択されて認証用カード１０に送信される必要情報を送信する情報送受信部をさらに備えていても良い。
【００２２】
上記構成のエレベータ個人認証制御システム１において、認証用カード１０に保持された個人識別情報と認証データベース２１に格納された個人認証情報とが一致したときに、認証制御装置２０の情報提供部２４は個人認証情報の内容に基づいてその認証用カードを所持する特定個人が興味を持つ確率の高い必要情報を選択して認証用カード１０へと送信し、また、認証用カード１０は、認証制御装置２０により特定個人であるとの認証が得られたときにその特定個人に対して必要情報の提供を受けるようにしても良い。
【００２３】
以上のように、第１実施形態に係るエレベータ個人認証制御システムは、非接触無線通信方式の認証用カード１０により特定個人を識別すると同時に、その特定個人の個人認証情報の項目に対応する必要情報データベース２３内に格納されている情報の中から、特定個人に提供すれば役立つ必要情報を選択して必要情報を提供して認証と同時に認証用カードの情報表示部１４への表示も行なっているので、特定個人に有益な情報をプライバシーの侵害等の虞なしに提供することができる。
【００２４】
［第２実施形態］
次に、より具体的な構成例としての第２実施形態に係るエレベータ個人認証制御システムについて図２のシステム構成ブロック図を参照しながら説明する。図２において、図１と同一符号を付したものは、第１実施形態と同一または相当する構成要素である。
【００２５】
図２において、エレベータ個人認証制御システム１は、第１実施形態と同様に、エレベータ２、エレベータ制御盤４、認証用端末５と、認証用カード１０と、認証制御装置２０とを基本的に備えている。第１実施形態との相違点は、必要情報の供給源としてインターネットを用いている点と、いわゆるホームセキュリティ機能を有する住宅管理システムにも接続されている点である。
【００２６】
上記基本構成のエレベータ個人認証制御システム１において、認証用カード１０の蓄電部１６は、図２に示されるように、情報表示部１４が必要情報としての広告情報を表示する際の表示時間を制限する表示タイマ１０１と、アンテナ１２を介して認証用端末５より供給された電力を充電する充電部１０３と、充電した電力を保持するバッテリ１０２と、をさらに備えている。
【００２７】
第２実施形態の認証用端末５も、第１実施形態と同様に、基本的にはアンテナ６と情報送受信部７より構成されているが、設置されている場所ごとに、玄関階ホール端末１１０と、建屋入り口端末１１１と、住居玄関端末１１２と、かご内端末１１３とに分類することができる。玄関階ホール端末１１０はアンテナ１１４と情報送受信部１１５を備え、建屋入り口端末１１１はアンテナ１１６と情報送受信部１１７を備え、住居玄関端末１１２はアンテナ１１８と情報送受信部１１９を備え、かご内端末１１３はアンテナ１２０と情報送受信部１２１を備えている。
【００２８】
認証制御装置２０は、第２実施形態においては構成要素が統合或いは省略されており、ここではカード制御盤１３０として扱われている。カード制御盤１３０は、図１の認証データベース２１および必要情報データベース２３と同様の機能を持つ定期保管情報部１３１と、図１の認証判定部２２、情報提供部２４、情報送受信部２５の機能を担当する制御部１３２と、後述する保守センタ１４０との間で情報の要求と送信とを交信するインターネット送受信部１３３とを備えている。
【００２９】
カード制御盤１３０のインターネット送受信部１３３は保守センタ１４０に接続されており、保守センタ１４０は、インターネット送受信部１４１と、配信・集計制御部１４２と、広告情報部１４３とを備えている。
【００３０】
カード制御盤１３０の制御部１３２は、エレベータ２（１５２）を制御するエレベータ制御盤４（１５０）と、住宅内部の各ポイントの保守管理を行なう住宅管理システム１５１とに接続される。住宅管理システム１５１は、郵便受け１５３、ドアロックセンサ１５４、照明センサ１５５、ガスセンサ１５６、水道センサ１５７といったポイントにそれぞれ接続されて、それぞれのポイントでの事象の発生（例えば、郵便物の配達など）や異常（例えば、鍵の掛け忘れ、照明器具の消し忘れ、ガス漏れ、漏水など）を検知して住宅管理システム１５０に通知する。
【００３１】
以上の構成を有する第２実施形態のエレベータ個人認証制御システムの動作について説明する。認証用カード１０は、非接触カード、無線カードを含む携帯端末であり、情報表示部１４は有機ＥＬなどの超薄型ディスプレイを装備している。超薄型ディスプレイは電力を消費するため、バッテリ１０２を必要とする。情報記憶部１３には、特定個人（例えば、第２実施形態の場合住宅管理システム１５１が完備された家庭の主婦）に関するＩＤを含む、年齢、生年月日、性別、利用階などの個人情報が予め記憶されている。
【００３２】
この第２実施形態のシステムの詳細な動作について説明する。第２実施形態のシステムにおいても本願発明の要旨である認証用カード１０の個人識別情報と認証制御装置２０に格納された個人認証情報とを比較して、一致した場合のみその個人の属性に基づく必要情報が選択されて供給されている。また、第２実施形態においては説明の便宜のために、あるマンションに居住する主婦が認証用カード１０を所持して住居から買い物に出かける状況を想定して説明する。特定個人としての主婦が外出する際に、エレベータ２に乗るためには必ず認証用カード１０を所持して住居の玄関を出る。住居の玄関には住居玄関端末１１２が設置されている。
【００３３】
認証用カード１０を所持する主婦がマンションを出て外出するには、住居を出た後で、図２には示されていないが、住居階ホール端末を経て、図２のかご内端末１１３、玄関階ホール端末１１０、建屋入り口端末１１１等のいくつかの認証用端末５を経由する。これらの認証用端末５の前を通過するたびに認証用カード１０は認証制御装置２０により認証を取られて、そのたびにアンテナ６とアンテナ１２の間で個人識別情報、必要情報等が相互の情報送受信部７、１５を介して交信され、電力も認証用端末５から認証用カード１０へと供給される。
【００３４】
認証用カード１０内のアンテナ１２と、住居玄関端末１１２のアンテナ１１８は平面内にコイルのように巻装された状態で貼り付けられており、アンテナ１１８が発生させる磁界をアンテナ１２で受けることによりフレミングの法則に従って電流が発生する。発生した電流は、充電部１０３で整流されてこの整流された電流がバッテリ１０２に蓄積されるのと同時に、情報送受信部１５を動作させて情報記憶部１３から個人識別情報をアンテナ１２に送り、アンテナ１２から個人識別情報を電波信号に変換して住居玄関端末１１２に送信する。
【００３５】
住居玄関端末１１２では、アンテナ１１８によりアンテナ１２から送られてきた個人識別情報の電波信号が電気信号に変換されて、情報送受信部１１９に送られる。情報送受信部１１９は送られてきた個人識別情報に住居玄関端末１１２からの信号であることを示す情報を付加した信号をカード制御盤１３０へと伝える。カード制御盤１３０は定期保管情報部１３１、制御部１３２、インターネット送受信部１３３により構成されており、定期保管情報部１３１は予め登録された認証用カード１０を所持している特定個人（第２実施形態の場合、このマンションに居住する主婦）のＩＤ情報と、インターネット送受信部１３３から送られてくる広告情報が一時的に格納される。
【００３６】
認証制御装置２０として機能するカード制御盤１３０の制御部は、各情報送受信部１１５、１１７、１１９、１２１からの個人識別情報に基づいて、定期保管情報部１３１内の情報（個人情報と広告情報）を用いてＩＤ情報の判別や広告情報の配信を行なう。また、インターネット送受信部１３３を介して保守センタ１４０と交信している。また、制御部１３２に接続されている玄関階ホール端末１１０、建屋入り口端末１１１、住居玄関端末１１２、かご内端末１１３の設置情報と認証カード１０から送られる利用階情報からエレベータを呼び戻すための呼び戻し信号を生成し、エレベータ制御盤１５０へ呼び戻し信号を送ることができる。また、制御部１３２は、住宅管理システム１５１へ戸締まりや郵便物の確認を行なうように指示する確認指示信号を送信することもできる。
【００３７】
インターネット送受信部１３３は、カード制御盤１３０と保守センタ１４０との間のインターネット通信機能を有し、保守センタ１４０に対して個人識別情報と広告情報との送受信を行なう。カード制御盤１３０では、制御部１３２が住居玄関端末１１２からの個人識別情報を受信して、定期保管情報部１３１の中のＩＤ情報と一致するものがあるかを確認して認証を行なう。もしもＩＤ情報が一致すれば、制御部１３２は正しく認証を行なってからエレベータ制御盤１５０に対してエレベータ１５２を住居階へと呼び戻す信号を伝える。また、住宅管理システム１５１に戸締まりができているか否かを確認するように指示信号を発信する。
【００３８】
上述したエレベータ制御盤１５０の機能は、カード制御盤１３０の信号に基づいて、エレベータ１５２を認証が行なわれた住居階へと呼び戻す信号を伝送する。また、個人識別情報に基づいて、行き先階を自動的に登録することもでき、住宅管理システム１５１の機能はカード制御盤１３０からの信号に基づいて、郵便受け１５３、ドアロックセンサ１５４、照明センサ１５５、ガスセンサ１５６、水道センサ１５７の状態を確認し、郵便物の有無、戸締まりの良否の信号をカード制御盤１３０へと送信する。
【００３９】
エレベータ制御盤１５０は、カード制御盤１３０からの信号に基づいてエレベータ１５２を呼び戻す階を判別して、その階へエレベータ１５２を移動させる。住宅管理システム１５１は、カード制御盤１３０の信号に基づいてドアロックセンサ１５４、照明センサ１５５、ガスセンサ１５６、水道センサ１５７等の居室内の使用状態を確認して、居住者が不在にも拘わらずこれらが使用状態（つまり、ドアの施錠忘れ、水道栓・ガス栓の締め忘れ、照明の消し忘れ）である異常の有無を制御部１３２に送信する。住宅管理システム１５２からの信号を受信した制御部１３２は、これらのセンサのうち何れか１つにでも異常があった場合、その情報を定期保管情報部１３１に一時的に保管する。全てのセンサに異常がなかった場合、制御部１３２はインターネット送受信部１３３を介して保守センタ１４０に個人認証情報の送信を行なう。
【００４０】
保守センタ１４０は、上述したようにインターネット送受信部１４１、配信・集計制御部１４２、広告情報部１４３を備えており、インターネット送受信部１４１は、保守センタ１４０とカード制御盤１３０との間のインターネット通信機能を有し、カード制御盤１３０に対して個人認証情報と広告情報との送受信を行なう。配信・集計制御部１４２は、個人認証情報に基づいて広告情報部１４３から認証用カード１０の所持者に対して最適と思われる広告を取り出して、インターネット送受信部１４１を介してカード制御盤１３０へと送信する。広告情報部１４３は、テナントやショップ等からの広告情報を格納しており、配信・集計制御部１４２に広告情報を渡す役割をしている。
【００４１】
保守センタ１４０へ送信された個人認証情報は、インターネット送受信部１４１を介して配信・集計制御部１４２へと伝えられる。配信・集計制御部１４２は、まず、個人認証情報に基づいて広告情報部１４３の中にある無数の広告情報の中から適当と思われる広告情報を複数個に絞り込む。その後、絞り込まれた広告情報の中から認証用カード１０の所持者すなわち主婦に提供する広告情報をランダムに取り出している。取り出された広告情報は、インターネット送受信部１４１を介してカード制御盤１３０へと送信される。カード制御盤１３０ではインターネット送受信部１３３を介して制御部１３２に広告情報が伝送され、定期保管情報部１３１に一時的に保存される。
【００４２】
エレベータ１５２が居住階に到着して認証用カード１０を所持する主婦がかご内に入るとかご内端末１１３のアンテナ１２０の磁界により認証用カード１０のアンテナ１２に誘導電流が流れて、上述した手順と同様の手順によりカード制御盤１３０で認証が行なわれる。認証が行なわれて主婦が本人であることが分かると、制御部１３２は、個人認証情報に基づいて、定期保管情報部１３１からその主婦にとって最適な必要情報を選択して供給する。このとき、戸締まりに異常があればドアロックセンサ１５４の検知により住宅管理システム１５１を介して異常状態である旨の緊急情報が提供され、異常がない場合には選択された広告情報が取り出される。
【００４３】
かご内端末１１３では、情報送受信部１２１が制御部１３２からの情報を受信して、電気信号としてアンテナ１２０へ送信する。アンテナ１２０は、受信した電気信号を電波信号として認証用カード１０へと送信する。認証用カード１０ではアンテナ１２がかご内端末１１３からの電波信号を受信して、この電波信号を電気信号として情報送受信部１５へ送信する。情報送受信部１５は電気信号を受信すると、この電気信号を表示タイマ１０１へ送信し、表示タイマ１０１は受信した信号に基づいて情報表示部１４に一定時間だけ情報を表示させる。認証カード１０を所持する主婦は、戸締まりがきちんと行なわれていなかった場合には情報表示部１４の表示により戸締まりの不備を確認して住居に戻り、戸締まりの再点検を行なうことができるし、住居に異常がない場合には、カード制御盤１３０から送られてきた広告情報等の必要情報を情報表示部１４で得ることができる。
【００４４】
次に、認証用カード１０の所持者すなわち主婦が帰宅する場合について説明する。主婦が帰宅する際に、建屋入り口端末１１１を通過するとアンテナ１１６からの磁界により認証カード１０のアンテナ１２に誘導電流が流れ、上述したようにカード制御盤１３０により認証カード１０内の個人識別情報と定期保管情報部１３１から読み出された個人認証情報とが比較されて一致した場合には本人であるものと認証される。認証が正しく行なわれると、制御部１３２は、エレベータ制御盤１５０に対して、認証用カード１０を所持する主婦が利用する階にエレベータ１５２を移動させる。また、住宅管理システム１５１に対して郵便物の有無を確認するように指示する信号を送出する。さらに、保守センタ１４０へ個人認証情報を送信して、上述した手順と同様の手順により定期保管情報部１３１へと広告情報を一時的に保存させる。
【００４５】
エレベータ制御盤１５０は、カード制御盤１３０からの信号に基づいて、エレベータ１５２の乗りかごを呼び戻す階を判別して、例えば玄関階へとエレベータ１５２を移動させる。住宅管理システム１５１は、制御部１３２からの信号に基づいて、郵便受け１５３の中の郵便物の有無を確認してその情報を制御部１３２へと送信する。認証カード１０を所持する主婦が玄関ホール端末１１０を通過すると、アンテナ１１４の時間により認証用カード１０内のアンテナ１２に誘導電流が流れて、上述のようにカード制御盤１３０により認証が行なわれる。認証が正しく行なわれると、カード制御盤１３０の制御部１３２は、郵便物がある場合には郵便受け１５３に郵便物が配達されている旨の情報を定期保管情報部１３１から取り出して玄関ホール端末１１０へ送信する。
【００４６】
玄関ホール端末１１０では、情報送受信部１１５でカード制御盤１３０からの情報を受信してこの情報を電気信号にしてアンテナ１１４に伝える。アンテナ１１４は情報送受信部からの電気信号を電波信号として主婦の所持する認証用カード１０に送信する。認証用カード１０に送信した郵便受け１５３に郵便物ありの信号は、上述した手順と同様の手順により一定時間だけ情報表示部１４に表示され、エレベータに乗る前の主婦に伝達することができる。郵便物がない場合、制御部１３２は定期保管情報部１３１に一時的に保管されている広告情報を必要情報として選択して取り出し、上述した手順と同様の手順により認証用カード１０の情報表示部１４に一定時間だけ表示させる。また、同時にインターネット送受信部１３３を介して保守センタ１４０に個人認証情報を送信して上述の手順と同様の手順により新たな広告情報を定期保管情報部１３１に保存する。
【００４７】
エレベータ１５２が玄関階ホールに到着後、認証用カード１０を所持する主婦がエレベータ１５２のかごに乗り込むと、外出時と同様に認証用カード１０がかご内端末１１３を介してカード制御盤１３０で認証される。認証が正しく行なわれると、制御部１３２は定期保管情報部１３１から広告情報を取り出し、かご内端末１１３へ広告情報を送信する。かご内端末１１３へ送信された情報は上述した手順と同様の手順により認証カード１０内の情報表示部１４に一定時間だけ表示される。
【００４８】
なお、第２実施形態のエレベータ個人認証制御システム１においては、認証用端末５と認証用カード１０との間の個人識別情報および必要情報の送受は短時間で大容量の情報を通信可能な無線通信方式により行なわれており、認証制御装置２０の情報提供部２４としての制御部１３２および定期保管情報部１３１は、認証用カード１０から個人識別情報を取得後、認証用カード１０が再度検知されるときまでに個人識別情報に基づいて必要情報としての広告情報の配信の選別を行なうようにしている。
【図面の簡単な説明】
【００４９】
【図１】基本構成としての第１実施形態のエレベータ個人認証制御システムの構成を示すブロック図である。
【図２】第２実施形態のエレベータ個人認証制御システムの構成を示すブロック図である。
【符号の説明】
【００５０】
１  エレベータ個人認証制御システム
２  エレベータ
４  制御盤
５  認証用端末
６  アンテナ
１０  認証用カード
１１  識別保持部
１２  アンテナ
１３  情報記憶部
１４  情報表示部
１５  情報送受信部
１６  蓄電部
２０  認証制御装置
２１  認証データベース
２２  認証判定部
２３  必要情報データベース
２４  情報提供部
２５  情報送受信部
【図１】
2007015800.tif 000003
【図２】
2007015800.tif 000004